(57)【要約】【課題】  良好な寝心地が得られるフローティングベッドシステムを提供する。【解決手段】  水が入れられた本体と本体内に収納される身体を包み込むビニールシートと使用者が頭部に装着する立体網目状の空気流通帯を備え使用者が本体内に身体を横たえた際使用者が立体網目状の空気流通帯によって、呼吸がしっかりと確保でき、また、水温調整装置により使用者にとって快適な水温が維持できる、使用者の身体が濡れる事無く本体内に保持するように構成されていることを特徴とするフローティングベッドシステムが提供される。【選択図】図１
2012081223.tif 000002
【特許請求の範囲】
【請求項１】
水が入れられた本体と、
前記水が入れられた本体を支えるフレームと
本体内に納められた使用者を包み込むビニールシートと、使用者が呼吸するための立体の網目状の空気流通帯と、本体と本体を支えるフレームの接点に使用者の身体の向きに合わせて対応するローラーとを備えており、使用者が前記本体内に身体を横たえ、使用者の身体を水に濡らす事無く、水中に身体を保持できることを特徴とするフローティングベッドシステム。
【請求項２】
前記本体内の水の温度を調整、管理するための水温調整装置を更に備え、使用者の体温と本体内の水温をセンサから検知し制御ユニットと連動させ、ヒーター及びクーラーを作動させることによって、本体内の水温を体温と同じ温度、体温プラス何℃、体温マイナス何℃、あるいは、あらかじめ設定しておいた温度を保持できることを特徴とする請求項１に記載のフローティングベッドシステム。
【発明の詳細な説明】
【技術分野】
【０００１】  本発明は一般に、ベッドに関する。より詳細には、本発明は、使用者に良好な寝心地を提供するフローティングベッドシステムに関する。
【背景技術】
【０００２】  好適な寝心地を提供する種々の寝具やベッドが提案され、市販されている。
【発明の開示】
【発明が解決しようとする課題】
【０００３】  しかしながら、従来のベッドでは、ベッドに横たわり同じ姿勢を続けることにより、自身の体重が部分的に掛かるため、首、肩、腰、臀部等が圧迫され、関節痛やしびれを生じさせたり、極端な例であるかもしれないが、床ずれを起こすこともある。またベッドに横たわった際、横臥時と仰臥時で頭部と枕の位置関係が変わるため、寝返りの度毎に違和感を生じさせ、熟睡の妨げとなっていた。さらに、従来のベッドでは、室温と体温のバランスを専ら寝具の熱保持力に依存しているため、就寝時に理想的な体温を保持するのが容易ではなかった。また、夏の夜の室温が高くて安眠できず、寝不足により体調をくずしたり、室内で熱中症になる人も少なくない。【０００４】  このように、従来の寝具やベッドは、種々の不都合を包含しており、満足すべきものが見当たらないのが現状である。本発明は、このような事情に鑑みて案出されたものであって、良好な寝心地を提供するフローティングベッドシステムを提供することを目的としている。
【課題を解決するための手段】
【０００５】  本願請求項１に記載のフローティングベッドシステムは、水が入れられた本体と、本体を支えるフレームと、本体内に納められた使用者を充分に包み込むことができる大きさのビニールシートと、使用者が呼吸するための立体網目状の空気の流通帯と、本体と本体を支えるフレームの接点に、使用者の身体の向き（横臥時と仰臥時）に応じて本体の形が変わり、その動きの変化に対応するためのローラーを備えており、使用者が前記本体内に身体を横たえ、使用者の身体を濡らす事無く水中に保持できることを特徴とするものである。【０００６】  本願請求項２に記載のフローティングベッドシステムは、前記請求項１のシステムにおいて、前記本体内の水温を調整管理するための水温調整装置を更に備え、使用者の体温と本体内の水温をセンサから検知し制御ユニットと連動させることによって、体温と同じ温度、または、体温プラス何度、または、体温マイナス何度、あるいは、あらかじめ設定していた温度を保持することができる水温調整装置を有していることを特徴とするものである。
【発明の効果】
【０００７】  本発明のフローティングベッドシステムによれば、使用者の身体を水中に安定的に保持すると同じ状態をつくることができるので、快適な寝心地を提供することができる。また、立体網目状の空気流通帯を備えているので、フローティングベッドシステム使用時にも充分な呼吸を確保することができる。さらに、水温調整装置を備えることにより、体温に合わせる等の水温調整をすることができ、快適な睡眠環境を提供することが可能になる。
【発明を実施するための最良の形態】
【０００８】次に図面を参照して、本発明の好ましい実施の形態に係るフローティングベッドシステムについて詳細を説明する。図１は、本発明の好ましい実施の形態に係るフローティングベッドシステムの全体を模式的に示した分解斜視図である。図１において全体として参照符号１０で示される本発明の本発明の好ましい実施の形態に係るフローティングベッドシステムは、水が入れられた本体１８と本体１８内に納められる。使用者の身体を充分に包み込む大きさのビニールシート１９と、本体を支える支持棒２１を持ち、支持棒２１の両端にはローラー２０を備えている。ローラー２０は指定の位置に止めることも可能である。【０００９】本体１８は、防水加工がなされた厚手のテント地または、伸縮性の少ない厚手のビニールシートで形成されており、図２を参照して、使用者の身体を充分に包み込む大きさのビニールシート１９は、使用者に違和感の少ない薄いビニールシートであるが、破れにくく丈夫なビニールシートで作られている。また、本体１８上部四方はビニールシート１９の表側に水が流れ出ないようにしっかりと接着している。【００１０】使用者が、本体１８に横たわり仰臥位になると身体が上向きになり肩幅の寸法に応じて、本体１８が横に広くなり、横臥位になると身体が横向きになるのでその形にあわせて、本体１８の形状が縦に長くなる形となる。図３参照。これは、支持棒２１の両端にあるローラー２０がフレーム１７上部を回転して動く、これにより最も少ない水量で、寝返りが可能になった。また、本体１８を支える支持棒２１はもちろんのことローラー２０の負荷が加わるフレーム部１７は、その重さに充分に耐える強度のある素材を使用する。【００１１】フローティングベッドシステム１０は、ベッド使用者が快適に呼吸するために空気の流通帯１５を設けている。空気の流通帯１５は、形状は帯の形で、図４のように、立体的な網目状で適度な柔軟性があり、頭部周囲には、ビニールシート１９と頭部及び顔表面との間には、快適な呼吸に必要な酸素を充分に得られる空間が確保されている。空気の流通帯１５は、その確保された空間が水圧により縮小し、空気の流通が妨げられないように、充分な構造強度が必要である。おそらくは、柔軟性と強度の面からモルトフィルター（オープンセル構造のウレタンフィルター）が適していると思われる。また、空気の流通帯１５は、浮力の調整のため素材の重量等さらにおもりのセット等の考慮をする必要がある。【００１２】フローティングベッドシステム１０は、図５参照、本体１８内の水を加温冷却する、ヒーター及びクーラー２３を有し、本体１８内の水の温度を調整するための水温調整装置２２を備えている。水温調整装置２２は使用者の体温ｔ１を検知する、体温検知センサ２２ａと本体内の水温ｔ２を検知する水温検知センサ２２ｂと体温検知センサ２２ａから得られる体温データと水温検知センサ２２ｂから得られる水温データの差Δｔ（＝｜ｔ１−ｔ２｜）を計算し、温度差Δｔが予め設定した値α以上である場合（Δｔ＞α）には、ヒーター及びクーラー２３に作動信号をおくる制御ユニット２２ｃとを有している。また、制御ユニット２２ｃは、センサ２２ａ、２２ｂとは別に、単独で本体１８内の水温をコン��ロールすることができる。なお、体温検知センサ２２ａと制御ユニット２２ｃ、水温検知センサ２２ｂと制御ユニット２２ｃ及び制御ユニット２２ｃとヒーター及びクーラー２３はコード２２ｄ、コード２２ｅ、コード２２ｆでそれぞれ接続されている。（体温検知センサ２２ａは本体内の水温に影響を受けない形をしている）【００１３】なお、ヒーター及びクーラー２３より押し出された水がホース２４ａを通り、吹き出し口２６より本体１８内へ放出され、放出された分の水が吸い込み口２５、さらにホース２４ｂを通りヒーター及びクーラー２３に戻り、熱媒体もしくは冷媒体に接触させ温度を安定保持させる方式をとっている。ではあるが、循環する水の流れが使用者に影響を及ぼす場合は、このような循環式を選択しない場合もありうる。【００１４】  使用者が本体１８内で、身体が上向きの場合と横向きの場合では図３のように、ローラー２０の間隔が広くなったり狭くなったりする。特に身体を横向きの横臥時に、ローラー設置部側の本体１８上部が、双方のローラー２０の間隔が狭くなり水圧により外側に開いてしまい、ローラー設置部側の本体１８上部からビニールシート１９とともに水が外に流れ出てしまう。そこで、本体上部からビニールシートとともに水が流れ出ないようにリング状の留め金１６を設置している。なお、水が流れ出なければその他の方法でも構わない。【００１５】  以上のように構成されたフローティングベッドシステム１０の作動について説明する。フローティングベッドシステム１０の使用に先立って、本体１８内（ビニールシートの内側）に水を入れ、使用者にとって適当な温度に調整しておく。次に、体温検知センサ２２ａを脇の下等にしっかりと接着させる。次に、本体上部に浮かんでいるビニールシート１９の合せ目に、支持棒２１を両手で掴みながら足を入れていく、そして、本体１８の底部に両足で立つ形となる（このとき本体底部が室内の床面まで下がるので床の上に立っている形と同じ状態となり安定する）。さらに、徐々に本体１８内に身体を横たえて行くが、このとき予め立体網目状空気の流通帯１５を頭部が収まる位置へ配置しておき、その後、頭部を立体網目状空気の流通帯１５にしずめていくと、使用者の身体が図３のように本体１８内に完全に横たわる。この時、身体全体がリラックスでき快適な寝心地が得られる。起き上がる際には、左右の支持棒２１を両手でしっかりと掴み身体を引き起こしながら立ち上がる。【００１６】  本発明は、以上の発明実施の形態に限定されることなく、特許請求の範囲に記載された発明の範囲内で、種々の変更が可能であり、それらも本発明の範囲内に包含されるものであることはいうまでもない。
【図面の簡単な説明】
【００１７】
【図１】本発明の実施の形態に係るフローティングベッドシステム全体を模式図に示した分解斜視図。
【図２】本体に水が入った状態の断面図。
【図３】使用者が、実施の際の仰臥時と横臥時の状態。
【図４】使用者が、呼吸するための立体的網目状の空気流通帯、図４（ａ）は、使用者が仰向けの状態  図４（ｂ）は、使用者が横向きになった状態  図４（ｃ）は、空気流通帯を使用した際の全体の姿  図４（ｄ）は、空気流通帯の構造の一つの例をあらわしている。
【図５】水温調整装置を説明するための模式図。
【符号の説明】
【００１８】１０  フローティングベッドシステム
１５  立体網目状の空気流通帯
１６  リング状留め金
１７  フレーム
１８  本体
１９  ビニールシート
２０  ローラー
２１  支持棒
２２  水温調整装置
２２ａ  体温検知センサ
２２ｂ  水温検知センサ
２２ｃ  制御ユニット
２２ｄ、２２ｅ、２２ｆ  コード
２３  ヒーター及びクーラー
２４  ホース
２５  水の吸い込み口
２６  水の噴き出し口
２７  水
【図１】
2012081223.tif 000003
【図２】
2012081223.tif 000004
【図３】
2012081223.tif 000005
【図４】
2012081223.tif 000006
【図５】
2012081223.tif 000007